(57)【要約】  装置本体１０の左壁１０Ｂ近傍に光ディスクの周縁を押出す押出部４１２Ｃを備えたディスクガイド４１２が回動可能に設けられ、このディスクガイド４１２の他端部に光ディスクを案内するガイドレバー４１１が回転可能に接続されている。そして、このガイドレバー４１１の背面１０Ｄ側に、光ディスクの径寸法に応じてガイドレバー４１１を案内可能位置に移動させる円弧溝４１５Ａ、および押出部４１２Ｃにて光ディスクを押し出させる位置にガイドレバー４１１を移動させる直線溝４１５Ｂおよび傾斜溝４１５Ｃを備えた案内ガイド溝４１５が設けられている。
2007043374.tif 000002
【特許請求の範囲】
【請求項１】
ディスク状の記録媒体を案内する長手状のガイド部材と、
一端側が装置本体に回動可能に支持されるとともに、他端側が前記ガイド部材に回動可能に接続されたディスクガイドと、
前記ガイド部材および前記ディスクガイドのうち少なくともいずれか一方に設けられるとともに前記記録媒体の排出時にこの記録媒体を押し出す押出部と、
前記ガイド部材を前記記録媒体の径寸法に応じて案内可能な位置に移動させる第一案内部、および前記記録媒体の排出時に前記押出部を前記記録媒体の排出方向に押し出す第二案内部を備えた案内ガイド部と、
を具備したことを特徴とした搬送装置。
【請求項２】
請求項１に記載の搬送措置であって、
前記案内ガイド部は、回路基板を保護する保護プレートに設けられた
ことを特徴とした搬送装置。
【請求項３】
請求項１または請求項２に記載の搬送装置であって、
前記第一案内部は、前記ディスクガイドおよび前記ガイド部材の接続部の回動軌跡に対して略平行となる形状に形成された円弧溝である
ことを特徴とした搬送装置。
【請求項４】
請求項１ないし請求項３のいずれかに記載の搬送装置であって、
第二案内部は、前記記録媒体を排出する排出方向に伸びる直線状の直線溝と、前記直線溝から傾斜する傾斜溝と、を備えた
ことを特徴とした搬送装置。
【請求項５】
請求項１ないし請求項４のいずれかに記載の搬送装置であって、
前記ガイド部材は、前記記録媒体の側縁に摺接可能な溝状の案内部を備えた
ことを特徴とした搬送装置。
【請求項６】
請求項１ないし請求項５のいずれかに記載の搬送装置であって、
前記押出部は、前記ディスクガイドの前記他端部に一体形成された
ことを特徴とした搬送装置。
【請求項７】
請求項１ないし請求項６のいずれかに記載の搬送装置であって、
前記ガイド部材は、前記記録媒体の排出方向に付勢されている
ことを特徴とした搬送装置。
【請求項８】
請求項１ないし請求項７のいずれかに記載の搬送装置であって、
前記記録媒体の径寸法を検出する検出手段と、
前記検出手段により検出された前記記録媒体の径寸法に応じて、前記ガイド部材の移動範囲を規制する規制部材と、
を備えたことを特徴とした搬送装置。
【請求項９】
請求項８に記載の搬送装置であって、
前記検出手段は、前記記録媒体に当接可能な当接部を有し、装置本体に回動自在に設けられる検出アームであり、
前記規制部材は、前記当接部が前記記録媒体に当接して前記検出アームが回動すると、この検出アームの回動量に応じて前記ガイド部材の移動を規制する
ことを特徴とした搬送装置。
【請求項１０】
請求項１ないし請求項９のいずれかに記載の搬送装置と、
前記搬送装置により搬送された前記記録媒体を保持するターンテーブルと、
前記ターンテーブルに保持された前記記録媒体への情報の書き込みおよび前記記録媒体からの情報の読み込みの少なくとも一方を実施する情報処理部と、
これらの搬送装置、ターンテーブル、および情報処理部を内部に収納し、前記記録媒体を挿排する挿排口が設けられる前記装置本体と、
を具備したことを特徴とした記録媒体駆動装置。
【発明の詳細な説明】
【技術分野】
【０００１】
本発明は、ディスク状記録媒体を挿入排出する搬送装置、および搬送装置が設けられた記録媒体駆動装置に関する。
【背景技術】
【０００２】
従来、径の異なるディスク状記録媒体を装置内部に格納可能なディスク装置が知られている（例えば、特許文献１参照）。【０００３】
この特許文献１に記載のものは、移送ローラによりディスクを搬送し、位置決め機構によりディスクをターンテーブル上方に位置決めするディスク再生装置である。この位置決め機構は、支点ピンで回動可能に枢支されて互いに交差する左右の位置決めレバーと、これらの位置決めレバーに設けられる係合孔に係合する支点ピンを有して、ソレノイドにより回動する切換レバーとにより構成されている。また、このディスク再生装置のディスク挿入口の近傍には、中央センサ、および中央センサの左右に設けられる左右センサ、外側センサが設けられ、これらのセンサによりディスク挿入口から挿入されたディスクの径を判別する。そして、センサにより大径のディスクの挿入が確認されると、切換レバーを回転させて位置決めピンがもっとも開いた位置となるように左右の位置決めレバーを回動させ、小径のディスクの挿入が確認されると、位置決めピンが最も近寄った位置となるように左右の位置決めレバーを回動させる構成が採られている。【０００４】
【特許文献１】特開平０２−１１８９５５号公報（第３頁ないし第５頁、図１ないし図７参照）
【発明の開示】
【発明が解決しようとする課題】
【０００５】
ところで、特許文献１に記載のような従来の構成のディスク再生装置では、左右の位置決めレバーが交差した状態で設けられ、さらに、これらの左右の位置決めレバーに係合する支点ピンを備えた切換レバーが設けられている。このため、これらのレバーの厚み寸法が大きくなってしまい、ディスク再生装置の薄型化が困難となるという問題が一例として挙げられる。【０００６】
本発明は、簡単な構成で径が異なるディスクを案内および保持可能な搬送装置、および記録媒体駆動装置を提供することを１つの目的とする。
【課題を解決するための手段】
【０００７】
本発明の搬送装置は、ディスク状の記録媒体を案内する長手状のガイド部材と、一端側が装置本体に回動可能に支持されるとともに、他端側が前記ガイド部材に回動可能に接続されたディスクガイドと、前記ガイド部材および前記ディスクガイドのうち少なくともいずれか一方に設けられるとともに前記記録媒体の排出時にこの記録媒体を押し出す押出部と、前記ガイド部材を前記記録媒体の径寸法に応じて案内可能な位置に移動させる第一案内部、および前記記録媒体の排出時に前記押出部を前記記録媒体の排出方向に押し出す第二案内部を備えた案内ガイド部と、を具備したことを特徴とする。【０００８】
本発明の記録媒体駆動装置は、前述した本発明の搬送装置と、前記搬送装置により搬送された前記記録媒体を保持するターンテーブルと、前記ターンテーブルに保持された前記記録媒体への情報の書き込みおよび前記記録媒体からの情報の読み込みの少なくとも一方を実施する情報処理部と、これらの搬送装置、ターンテーブル、および情報処理部を内部に収納し、前記記録媒体を挿排する挿排口が設けられる前記装置本体と、を具備したことを特徴とする。
【図面の簡単な説明】
【０００９】
【図１】本発明の一実施形態に係るディスク装置の装置本体内部を示す平面図である。
【図２】大径ディスクのディスク挿入初期時、およびディスク排出完了時におけるディスク装置の装置本体の内部を示す平面図である。
【図３】大径ディスクの搬送途中におけるディスク装置の装置本体の内部を示す平面図である。
【図４】大径ディスクのディスク挿入完了時におけるディスク装置の装置本体の内部を示す平面図である。
【図５】小径ディスクのディスク挿入初期時、およびディスク排出完了時におけるディスク装置の装置本体の内部を示す平面図である。
【図６】小径ディスクのディスク搬送途中におけるディスク装置の装置本体の内部を示す平面図である。
【図７】小径ディスクのディスク挿入完了時におけるディスク装置の装置本体の内部を示す平面図である。
【符号の説明】
【００１０】
１…記録媒体としての光ディスク
１Ａ…記録媒体としての大径ディスク
１Ｂ…記録媒体としての小径ディスク
１０…装置本体
２３…ターンテーブル
２４…情報処理部
４１…搬送装置としてのディスクガイド機構
１００…記録媒体駆動装置としてのディスク装置
４１１…ガイド部材としてのガイドレバー
４１１Ａ…案内部
４１２…ディスクガイド
４１２Ｃ…押出部
４１３…保護プレートとしてのブリッジプレート
４１５Ａ…第一案内部としての円弧溝
４１５Ｂ…第二案内部としての直線溝
４１５Ｃ…第二案内部としての傾斜溝
４１５…案内ガイド部としての案内ガイド溝
４２１…検出手段としてのロードアーム
４２４…規制部材としてのスライドストッパ
【発明を実施するための最良の形態】
【００１１】
以下、本発明の一実施形態を図面に基づいて説明する。図１は、本発明の一実施形態に係るディスク装置の内部の概略を示す平面図である。【００１２】
［ディスク装置の構成］
図１において、１００は、本発明の一実施形態に係る記録媒体駆動装置としてのディスク装置であり、このディスク装置１００は、着脱可能に装着されるディスク状の記録媒体としての光ディスク１における少なくとも一面に設けられた図示しない記録面に記録された情報を読み出す情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａと、直径８ｃｍの小径ディスク１Ｂとを収納することができる。なお、ディスク状記録媒体としては、光ディスク１に限らず、磁気ディスク、光磁気ディスクなどのいずれのディスク状記録媒体を対象とすることができる。そして、ディスク装置１００は、例えば金属製で内部空間を有する略箱形状の装置本体１０を備えて構成されている。なお、この装置本体１０において、図１中下側を装置本体の正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。【００１３】
装置本体１０の内部には、いわゆるトラバースメカ（Traverse Mechanism）と称されるディスク処理部２０と、光ディスク１を搬送する搬送手段３０と、回路基板としての図示しない制御回路部とが設けられている。そして、装置本体１０の正面１０Ａには、光ディスク１を挿入排出するための挿排口としてのスロット１１が図１中左右方向に延びて形成されている。【００１４】
ディスク処理部２０は、例えば金属板にて略板状に形成され一端が揺動自在に装置本体１０に支持された台座部２１を有している。この台座部２１は、装置本体１０の左壁１０Ｂの正面１０Ａ側から、中心位置に向かって長手に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する駆動部である。【００１５】
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップを備えている。【００１６】
搬送手段３０は、装置本体１０に配設された、例えば制御回路部に動作制御される搬送モータ３１と、光ディスク１の挿排に応じて駆動するリンク機構部３２とを備えている。【００１７】
リンク機構部３２は、装置本体１０の内部であってスロット１１の左壁１０Ｂ側に設けられた搬送装置としてのディスクガイド機構４１と、装置本体１０の内部であってスロット１１の右壁１０Ｃ側に設けられたディスク径検知機構４２と、ターンテーブル２３に配置された光ディスク１を排出するディスク排出機構４３と、台座部２１を揺動させる第１の駆動カム４４及び第２の駆動カム４５とを備えている。【００１８】
ディスクガイド機構４１は、光ディスク１の挿排を案内するガイド部材としてのガイドレバー４１１と、このガイドレバー４１１の正面１０Ａ側に接続されるディスクガイド４１２と、保護プレートとしてのブリッジプレート４１３と、ブリッジプレート４１３に回動自在に設けられる８ｃｍアーム４１４と、を備えている。【００１９】
ガイドレバー４１１は、ディスク挿排方向に長手状に形成される棒状部材である。このガイドレバー４１１の側面には、内方側（光ディスク１が挿入される側）に、光ディスク１の挿排方向への移動を案内する合成樹脂製の案内部４１１Ａが固定されている。この案内部４１１Ａは、左壁１０Ｂ側に向かって凹状となる案内溝が形成されており、光ディスク１の周縁をこの案内溝に摺接させて案内する。また、案内部４１１Ａには、底部側に突出する回動規制ピン４１１Ｃが形成されている。さらに、このガイドレバー４１１の側面は、案内部４１１Ａに続く背面１０Ｄ側が、内方に向かって湾曲した形状に形成されており、光ディスク１の移動を規制している。【００２０】
そして、ガイドレバー４１１の背面１０Ｄ側の端部には、天面側から底面側に貫通するガイドピン４１１Ｂが固定されている。このガイドピン４１１Ｂは、後述するブリッジプレート４１３および８ｃｍアーム４１４に係止されている。また、ガイドレバー４１１の正面１０Ａ側端部は、ディスクガイド４１２が回動自在に接続されている。【００２１】
さらに、ガイドレバー４１１の正面１０Ａ側の端部には、左壁１０Ｂに対向して板ばね４１１Ｄが設けられている。この板ばね４１１Ｄは、ガイドレバー４１１が左壁１０Ｂ側に移動した際に、このガイドレバー４１１とディスクガイド４１２との接続部を内方側に付勢する。これにより、ガイドレバー４１１およびディスクガイド４１２の接続部が外方側に屈折することを防止している。【００２２】
ディスクガイド４１２は、長手状に形成され、一端部が装置本体１０の左壁１０Ｂ近傍に回動可能に取り付けられている。また、ディスクガイド４１２の他端部は前記したように、ガイドレバー４１１の一端部に回動可能に接続されている。これにより、ガイドレバー４１１の正面１０Ａ側端部は、ディスクガイド４１２の一端部を回動中心とし、ディスクガイド４１２の長さ寸法を径とした円弧上を回動運動可能となる。また、ディスクガイド４１２の底面側には、内方に突出するフランジ部４１２Ａが形成されており、このフランジ部４１２Ａに沿って、光ディスク１が挿入される際に光ディスク１の周縁部が摺接される摺接面４１２Ｂが形成されている。さらに、ディスクガイド４１２およびガイドレバー４１１の接続部は、光ディスク１を排出する際に、光ディスク１の周縁を正面１０Ａ側に押出す押出部４１２Ｃとなっている。【００２３】
ブリッジプレート４１３は、装置本体１０の背面１０Ｄ側に左右方向に亘って設けられる板状部材である。このブリッジプレート４１３は、前述した制御回路部の上方に覆うように設けられ、この制御回路部を保護している。そして、ブリッジプレート４１３の左壁１０Ｂ側には、装置本体１０の背面１０Ｄ側角部から内部中心位置に向かって案内ガイド部としての案内ガイド溝４１５が形成されている。【００２４】
この案内ガイド溝４１５は、前記ガイドレバー４１１およびディスクガイド４１２の接続部の回動軌跡と略平行する形状に形成される第一案内部としての円弧溝４１５Ａと、この円弧溝４１５Ａに連続して光ディスク１の挿排方向に略沿って伸びる第二案内部としての直線溝４１５Ｂと、この直線溝４１５Ｂに連続して形成されるとともに、直線溝４１５Ｂに対して所定の角度だけ装置本体１０の中心位置方向に傾斜する第二案内部としての傾斜溝４１５Ｃとを備えている。そして、この案内ガイド溝４１５には、ガイドレバー４１１の底面側に突出するガイドピン４１１Ｂが係止され、ガイドレバー４１１の移動を案内している。ここで、この直線溝４１５Ｂは、ターンテーブル２３から直線溝４１５Ｂの延長線上に下ろした垂線の長さが小径ディスク１Ｂの半径と略同一寸法となるように設定されている。【００２５】
また、ブリッジプレート４１３の右壁１０Ｃ側には、８ｃｍアーム４１４が回動可能に軸支されている。さらに、ブリッジプレート４１３の中心部および右壁１０Ｃ側には、８ｃｍアーム４１４の軸支位置を中心とした円弧状のアーム規制溝４１３Ａが形成され、８ｃｍアーム４１４の回動範囲を規制している。【００２６】
そして、ブリッジプレート４１３の右壁１０Ｃ側には、後述するディスク排出機構４３のアシストアーム４３１が回動可能に軸支され、このアシストアーム４３１の回動中心とした円弧状のアシスト規制溝４１３Ｂが形成されている。また、ブリッジプレート４１３の略中心には、アシストアーム４３１に噛合するイジェクトアーム４３２が回動可能に軸支されている。さらに、ブリッジプレート４１３の正面１０Ａ側には、左右方向に長手となる制御溝４１３Ｃが形成されている。【００２７】
さらには、ブリッジプレートの左壁１０Ｂ側には、ブリッジプレート４１３およびガイドレバー４１１の間にプッシュアーム４１６が回動可能に軸支されている。このプッシュアーム４１６は、長手状に形成され長手一端部から軸支位置に向かってピン係止溝４１６Ａが形成されている。このピン係止溝４１６Ａには、ガイドレバー４１１のガイドピン４１１Ｂが案内ガイド溝４１５の円弧溝４１５Ａを移動する際に、案内部４１１Ａに形成された回動規制ピン４１１Ｃが挿通される。そして、ガイドレバー４１１がさらに左壁１０Ｂ側に移動して、回動規制ピン４１１Ｃによりピン係止溝４１６Ａが押されると、プッシュアーム４１６が左壁１０Ｂ側に回動する。また、プッシュアーム４１６の右壁１０Ｃ側には、下方側に突出する押え片４１６Ｂが形成されている。この押え片４１６Ｂは、プッシュアーム４１６が左壁１０Ｂ側に回動した際に、後述するスライドストッパ４２４のプッシュストッパ４２４Ｄが当接されることによりプッシュアーム４１６の回動が規制され、ガイドレバー４１１を左壁１０Ｂ側に移動させた状態で保持する。また、プッシュアーム４１６の先端部には、ブリッジプレート４１３との間にプッシュアーム付勢ばね４１６Ｃが設けられている。このプッシュアーム付勢ばね４１６Ｃは、プッシュアーム４１６を内方側、すなわち左壁１０Ｂから離れる方向に付勢しており、スライドストッパ４２４が押え片４１６Ｂから離れると、プッシュアーム４１６を内方側に回動させる。【００２８】
８ｃｍアーム４１４は、前述したように、ブリッジプレート４１３の右壁１０Ｃ側に回動可能に軸支されている。また、８ｃｍアーム４１４は、底部側に突出するアーム規制ピン４１４Ａを備えており、このアーム規制ピン４１４Ａがブリッジプレート４１３のアーム規制溝４１３Ａに係止されている。さらに、８ｃｍアーム４１４の先端部には、この８ｃｍアーム４１４の長手に沿って形成されるガイドリンク溝４１４Ｂが形成されている。このガイドリンク溝４１４Ｂには、ガイドレバー４１１の天面側に突出するガイドピン４１１Ｂが係止されている。そして、８ｃｍアーム４１４の軸支位置近傍には、８ｃｍアーム４１４の左壁１０Ｂ側先端部を正面１０Ａ側に付勢するアーム付勢ばね４１４Ｃが設けられている。このアーム付勢ばね４１４Ｃにより８ｃｍアーム４１４は常に反時計周り方向に付勢されている。そして、この８ｃｍアーム４１４によりガイドレバー４１１は、ガイドピン４１１Ｂが案内ガイド溝４１５の傾斜溝４１５Ｃの先端部に位置する初期状態に戻るように付勢されている。【００２９】
ディスク径検知機構４２は、スロット１１に挿入された光ディスク１が大径ディスク１Ａである場合はディスクガイド機構４１のガイドレバー４１１の移動規制を解除し、光ディスク１が小径ディスク１Ｂである場合にはガイドレバー４１１の移動を規制するものである。【００３０】
具体的には、ディスク径検知機構４２は、一端部が光ディスク１と当接するとともに他端部側が装置本体１０に回動自在とされた検出手段としてのロードアーム４２１と、このロードアーム４２１に連結されロードアーム４２１の回動角度が大きい場合にガイドレバー４１１の移動規制を解除しロードアーム４２１の回動角度が小さい場合にはガイドレバー４１１の移動を規制するアームリンク機構４２２とを備えている。【００３１】
ロードアーム４２１は、一端部に光ディスク１の周縁部に当接するローラ状の当接部４２１Ａが設けられ他端部が装置本体１０に回動自在に支持されている。このロードアーム４２１は、細長い矩形状の板部材で形成されており、その長手方向に沿ってガイド溝４２１Ｂが形成されている。また、ロードアーム４２１は、図示しない付勢手段により、図１に示すような初期位置に戻るように、時計回り方向に付勢されている。【００３２】
アームリンク機構４２２は、ガイド溝４２１Ｂに案内される突起４２３Ａが一端部に設けられた略平板状のリンクアーム４２３と、このリンクアーム４２３と一端部が連結された略平板状の規制手段としてのスライドストッパ４２４とを備えている。【００３３】
ロードアーム４２１及びリンクアーム４２３は、装置本体１０内の右壁１０Ｃ側にあり、かつ、ディスクガイド機構４１のガイドレバー４１１およびディスクガイド４１２が配置された平面と略同じ平面内に配置されている。【００３４】
リンクアーム４２３は、他端側において、装置本体１０に固定された回動軸４２３Ｂに対して回動自在に支持されており、回動軸４２３Ｂを挟んで突起４２３Ａと対向する位置に係合突起４２３Ｃがリンクアーム４２３に形成されている。また、リンクアーム４２３の係合突起４２３Ｃが設けられる端部には、図示しない付勢部材が設けられ、右壁１０Ｃ側に付勢している。これにより、ロードアーム４２１は、内方側、すなわち時計回りに付勢されている。【００３５】
スライドストッパ４２４は、ターンテーブル２３より背面１０Ｄ側において、ブリッジプレート４１３の底面部側に、図中左右方向に移動可能に配置されており、その右端部に係合突起４２３Ｃに当接するとともに、光ディスク１の挿排方向に対して傾斜する傾斜当接部４２４Ａが形成されている。そして、光ディスク１として大径ディスク１Ａが挿入され、ロードアーム４２１が回動すると、リンクアーム４２３も回動されて係合突起４２３Ｃが正面１０Ａ側に移動し、この係合突起４２３Ｃに当接する傾斜当接部４２４Ａが押されるため、スライドストッパ４２４が右壁１０Ｃ側にスライド移動する。また、スライドストッパ４２４には、ブリッジプレート４１３のアーム規制溝４１３Ａの一部を閉塞可能な規制ストッパ４２４Ｂが設けられている。この規制ストッパ４２４Ｂは、上記の如くロードアーム４２１が回動してスライドストッパ４２４が右壁１０Ｃ側に移動すると、アーム規制溝４１３Ａを開放して８ｃｍアーム４１４のアーム規制ピン４１４Ａが移動可能な状態となる。一方、ロードアーム４２１が初期位置に戻り、スライドストッパ４２４が初期位置に戻ると、アーム規制溝４１３Ａを閉塞してアーム規制ピン４１４Ａが移動できない状態となる。これにより、８ｃｍアーム４１４に連結されたガイドレバー４１１の回動も規制される。これにより、ガイドレバー４１１も左壁１０Ｂ側に移動可能となる。【００３６】
また、スライドストッパ４２４の正面１０Ａ側には、第２の駆動カム４５と連結可能なカム連動溝４２４Ｃが形成されている。これにより、第２の駆動カム４５が移動すると、スライドストッパ４２４も左右方向に移動する。そして、スライドストッパ４２４の左壁１０Ｂ側には、プッシュストッパ４２４Ｄが設けられている。このプッシュストッパ４２４Ｄは、第２の駆動カム４５の移動によりスライドストッパ４２４が左壁１０Ｂ側に移動すると、プッシュアーム４１６の押え片４１６Ｂに当接され、プッシュアーム４１６の回動を規制する。【００３７】
さらに、スライドストッパ４２４の略中心位置には、イジェクト規制窓４２４Ｅが開口形成されている。このイジェクト規制窓４２４Ｅは、左右方向に伸びる大径ディスク用イジェクト規制溝４２４Ｅ１と、小径ディスク用イジェクト規制溝４２４Ｅ２とを備えている。これらの大径ディスク用イジェクト規制溝４２４Ｅ１、および小径ディスク用イジェクト規制溝４２４Ｅ２には、第２の駆動カム４５の移動によりスライドストッパ４２４が左壁１０Ｂ側に移動すると、後述するアシストアーム４３１のイジェクト規制ピン４３１Ａが係合され、アシストアーム４３１の回動を規制する。また、これらの大径ディスク用イジェクト規制溝４２４Ｅ１、および小径ディスク用イジェクト規制溝４２４Ｅ２は端部がターンテーブル２３から離れる方向に傾斜して形成されており、イジェクト規制ピン４３１Ａがこの傾斜部に係合されることで、イジェクトアーム４３２と光ディスク１との間にクリアランスを確保することが可能となる。【００３８】
ディスク排出機構４３は、光ディスク１をスロット１１に押出して排出する機構である。このディスク排出機構４３は、アシストアーム４３１と、イジェクトアーム４３２とを備えている。【００３９】
アシストアーム４３１は、前述したように、ブリッジプレート４１３右壁１０Ｃ側に回動自在に設けられ、アシスト規制溝４１３Ｂに係合するイジェクト規制ピン４３１Ａを備えている。これにより、アシストアーム４３１は、アシスト規制溝４１３Ｂ内で回動範囲が規制されている。また、このイジェクト規制ピン４３１Ａは前記したように、イジェクト規制窓４２４Ｅに挿通されており、スライドストッパ４２４が移動して、大径ディスク用イジェクト規制溝４２４Ｅ１、または小径ディスク用イジェクト規制溝４２４Ｅ２に係合されることで、アシストアーム４３１の回動が規制される。さらに、アシストアーム４３１の左壁１０Ｂ側の一端部には、歯車４３１Ｂが形成されている。このアシストアーム４３１は図示しない付勢部材により反時計周り方向、すなわち歯車４３１Ｂが正面１０Ａ側に向かう方向に付勢されている。【００４０】
イジェクトアーム４３２は、前述したようにブリッジプレート４１３に回動可能に設けられ、ブリッジプレート４１３を挟んで底面側に位置する歯車部４３２Ａと、ブリッジプレート４１３の天面側に位置する長手状のアーム部４３２Ｂと、を備えている。歯車部４３２Ａは、アシストアーム４３１の歯車４３１Ｂに噛合しており、アシストアーム４３１の付勢力により、時計回り方向に付勢されている。この付勢力によりアーム部４３２Ｂが時計回り方向、すなわち光ディスク１をスロット１１に押し出す方向に付勢されている。また、アーム部４３２Ｂの先端部には、光ディスク１の周縁と当接するローラ状の当接部４３２Ｃが設けられている。さらに、イジェクトアーム４３２の回動中心に対してアーム部４３２Ｂとは反対側には、アーム制御突起４３２Ｄが形成されている。このアーム制御突起４３２Ｄは、イジェクトアーム４３２が回動すると、８ｃｍアーム４１４の側縁に当接する。【００４１】
第１の駆動カム４４及び第２の駆動カム４５には、それぞれ係合溝が形成されており、これらの係合溝に台座部２１の２つの側面に形成された係合カム突起（図示せず）がそれぞれ係合される。第１の駆動カム４４及び第２の駆動カム４５は、略長尺状に形成されており、図示しないモータ及び歯車機構により長手方向に沿って進退される。これにより、台座部２１はターンテーブル２３に装着された光ディスク１の記録面に近接離隔するように揺動される。【００４２】
リンクアーム４２３と第１の駆動カム４４とには、光ディスク１が大径ディスク１Ａである場合にターンテーブル２３へ送る光ディスク１の送り量を小さくし、光ディスク１が小径ディスク１Ｂである場合にターンテーブル２３へ送る光ディスク１の送り量を大きくするディスク送り用カム部５１が設けられている。【００４３】
このディスク送り用カム部５１は、リンクアーム４２３に設けられた突起部５２と、この突起部５２と係合され第１の駆動カム４４に形成されたカム溝５３とを備えている。【００４４】
カム溝５３は、大径ディスク１Ａを送るための第１カム溝５３Ａと、小径ディスク１Ｂを送るための第２カム溝５３Ｂと、これらの第１カム溝５３Ａ及び第２カム溝５３Ｂとの一端部で合流される共通カム溝５３Ｃとを備えて構成されている。第１カム溝５３Ａと第２カム溝５３Ｂとは、それぞれ第１の駆動カム４４の移動方向に延びて形成されている。【００４５】
第２の駆動カム４５は、第１の駆動カム４４に連結されており、この第１の駆動カム４４の進退移動に連動して左右方向に進退移動する。そして、光ディスク１の中心がターンテーブル２３の上に位置することを図示しないセンサが検出すると、第１の駆動カム４４が背面１０Ｄ側に移動して、第２の駆動カム４５が左壁１０Ｂ側に移動する。この第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録及び／又は再生される。【００４６】
〔ディスク装置の動作〕
次に上記ディスク装置１００の動作について、図２ないし図７に基づいて説明する。図２は、大径ディスク１Ａを挿入した場合のディスク挿入初期時、および大径ディスクの排出完了時におけるディスク装置の装置本体の内部を示す平面図である。図３は、大径ディスクの搬送途中におけるディスク装置の装置本体の内部を示す平面図である。図４は、大径ディスクを挿入した場合のディスク挿入完了時におけるディスク装置の装置本体の内部を示す平面図である。図５は、小径ディスクを挿入した場合のディスク挿入初期時、およびディスク排出完了時におけるディスク装置の装置本体の内部を示す平面図である。図６は、小径ディスクの搬送途中におけるディスク装置の装置本体の内部を示す平面図である。図７は、小径ディスクを挿入した場合のディスク挿入完了時におけるディスク装置の装置本体の内部を示す平面図である。【００４７】
（大径ディスクの挿入）
図１に示すような初期状態のディスク装置１００にディスク径が１２ｃｍである大径ディスク１Ａを挿入する際のディスク装置の動作を説明する。初期状態のディスク装置１００のスロット１１から大径ディスク１Ａを挿入すると、図２に示すように、この大径ディスク１Ａの周縁部がロードアーム４２１の当接部４２１Ａを右壁１０Ｃ側に押して回動させる。これにより、リンクアーム４２３が反時計周りに回動し、スライドストッパ４２４が右壁１０Ｃ側にスライド移動する。このスライドストッパ４２４の移動により、規制ストッパ４２４Ｂがブリッジプレート４１３のアーム規制溝４１３Ａから外れ、８ｃｍアーム４１４の回動範囲の制御が解除される。【００４８】
この状態でさらに大径ディスク１Ａを奥に押し込むと、図３に示すように、大径ディスク１Ａの側縁がディスクガイド４１２の摺接面４１２Ｂに当接して、ディスクガイド４１２を左壁１０Ｂ側に回動させる。この時、ガイドレバー４１１も背面１０Ｄ側に押し込まれ、ガイドピン４１１Ｂが案内ガイド溝４１５の傾斜溝４１５Ｃおよび直線溝４１５Ｂから円弧溝４１５Ａに移動する。そして、ガイドピン４１１Ｂがこの円弧溝４１５Ａに沿って左壁１０Ｂ側に移動することで、ガイドレバー４１１は、ディスク挿排方向と略平行な状態を維持したまま左壁１０Ｂ側に移動し、案内部４１１Ａにて大径ディスク１Ａの周縁部を案内する。この時、案内部４１１Ａの回動規制ピン４１１Ｃがプッシュアーム４１６のピン係止溝４１６Ａに係合され、プッシュアーム４１６も左壁１０Ｂ側に回動する。【００４９】
この後、大径ディスク１Ａの半分以上が装置本体１０内部に挿入されると、ロードアーム４２１が内方側、すなわち時計回り方向に付勢されているため、大径ディスク１Ａの周縁に沿って移動する。そして、ロードアーム４２１はこの付勢力により大径ディスク１Ａを正面１０Ａから背面１０Ｄ側に押し込む。さらに、大径ディスク１Ａの半分以上がガイドレバー４１１およびディスクガイド４１２の接続部を通過すると、板ばね４１１Ｄが内方側に付勢されているため、正面１０Ａ側が内方側に突出するように、ガイドレバー４１１が傾斜し、大径ディスク１Ａを奥部に案内する。【００５０】
そして、図４に示すように、大径ディスク１Ａの中心部が、ターンテーブル２３上に移動されると、ディスクローディングが完了した状態となり、ターンテーブル２３に大径ディスク１Ａがクランプされる。これには、大径ディスク１Ａの挿入により、図示しない挿入検出スイッチが押され、第１の駆動カム４４が正面１０Ａ側に移動する。この時、突起部５２が第１の駆動カム４４の第１カム溝５３Ａに挿通され、大径ディスク１Ａとの間にクリアランスが設けられた状態でロードアーム４２１の位置が固定される。また、第１の駆動カム４４の移動に連動して第２の駆動カム４５も左壁１０Ｂ側に移動する。そして、これらの第１の駆動カム４４および第２の駆動カム４５により台座部２１が天面側に移動し、大径ディスク１Ａがクランプされる。【００５１】
また、第２の駆動カム４５が左壁１０Ｂ側に移動することで、スライドストッパ４２４が左壁１０Ｂ側に移動し、プッシュストッパ４２４Ｄがプッシュアーム４１６の押え片４１６Ｂに当接される。これにより、ガイドレバー４１１が左壁１０Ｂ側に押さえつけられ、大径ディスク１Ａとの間に所定寸法のクリアランスが設けられる。また、スライドストッパ４２４の移動によりアシストアーム４３１のイジェクト規制ピン４３１Ａが大径ディスク用イジェクト規制溝４２４Ｅ１に係合され、イジェクトアーム４３２の当接部４３２Ｃも大径ディスク１Ａとの間に所定寸法のクリアランスが設けられた状態で移動が規制される。【００５２】
（大径ディスクの排出）
次に、大径ディスク１Ａを排出する動作を説明する。操作者により例えばイジェクトボタンが押されるなどすると、先ず、第１の駆動カム４４が背面１０Ｄ側に移動する。これにより、台座部２１が底部側に移動し、大径ディスク１Ａのクランプ状態がはずれる。また、第２の駆動カム４５が右壁１０Ｃ側に移動することにより、ガイドレバー４１１、イジェクトアーム４３２、ロードアーム４２１の移動規制も解除され、クランプ状態が解除された大径ディスク１Ａがこれらのガイドレバー４１１、イジェクトアーム４３２、ロードアーム４２１により保持されるとともに、イジェクトアーム４３２の付勢力により大径ディスク１Ａが正面１０Ａ側に押出される。【００５３】
そして、大径ディスク１Ａの左端縁がガイドレバー４１１およびディスクガイド４１２の接続部よりも正面１０Ａ側に排出されると、ディスクガイド４１２の押出部４１２Ｃが大径ディスク１Ａの周縁を正面１０Ａ側に押出す。すなわち、ガイドピン４１１Ｂが８ｃｍアーム４１４により正面１０Ａ側に押されて直線溝４１５Ｂを通過すると、ガイドレバー４１１も正面１０Ａ側に押出される。この時、ガイドレバー４１１およびディスクガイド４１２の接続部はディスクガイド４１２の回動円弧に沿って内方側に飛び出し、ガイドレバー４１１が傾斜した状態となる。これにより、ガイドレバー４１１の正面１０Ａ側端部は、大径ディスク１Ａの周縁部を押出すことが可能となる。さらに、ガイドピン４１１Ｂが傾斜溝４１５Ｃを通過すると、ガイドレバー４１１はより内方側に飛び出すように移動する。これにより、大径ディスク１Ａの排出がより促される。【００５４】
また、大径ディスク１Ａの右端部がロードアーム４２１の当接部４２１Ａよりも正面１０Ａ側に排出されると、第１の駆動カム４４がさらに背面１０Ｄ側に移動することで、突起部５２が共通カム溝５３Ｃに係合され、ロードアーム４２１が内方側に回動する。このロードアーム４２１の回動により大径ディスク１Ａの周縁が正面１０Ａ側に押出され、大径ディスク１Ａが排出される。【００５５】
（小径ディスクの挿入）
次に、図１に示すような初期状態のディスク装置１００にディスク径が８ｃｍである小径ディスク１Ｂを挿入する際のディスク装置の動作を説明する。初期状態のディスク装置１００のスロット１１から小径ディスク１Ｂを挿入すると、図５に示すように、この小径ディスク１Ｂの周縁部がディスクガイド４１２を押し込んで左壁１０Ｂ側に回動させる。この時、ガイドレバー４１１も背面１０Ｄ側に押し込まれ、ガイドピン４１１Ｂが案内ガイド溝４１５の傾斜溝４１５Ｃから直線溝４１５Ｂに移動する。なお、図５において、小径ディスク１Ｂをスロット１１の略中央から挿入する例を示したが、左右どちらから偏って挿入されてもよい。例えば右壁１０Ｃ側から小径ディスク１Ｂが挿入された場合は、小径ディスク１Ｂの周縁でロードアーム４２１を右壁１０Ｃ側に大きく回動させる。そして、小径ディスク１Ｂの右端部がロードアーム４２１の当接部４２１Ａよりも背面１０Ｄ側に挿入されると、ロードアーム４２１が内方側に回動して小径ディスク１Ｂを中心位置に押出す。また、小径ディスク１Ｂが左壁１０Ｂ側に片寄った位置から挿入された場合では、小径ディスク１Ｂは、ディスクガイド４１２の摺接面４１２Ｂに沿って中心位置に誘導されて挿入される。【００５６】
そして、小径ディスク１Ｂの右端部がロードアーム４２１の当接部４２１Ａよりも背面１０Ｄ側に移動すると、図６に示すように、このロードアーム４２１の付勢力により小径ディスク１Ｂがより背面１０Ｄ側に送り出される。この時、ガイドレバー４１１は、ガイドピン４１１Ｂが直線溝４１５Ｂに係合されているため、ガイドレバー４１１の案内部４１１Ａからターンテーブル２３の中心位置までの距離が小径ディスク１Ｂの半径寸法に略一致する。したがって、ロードアーム４２１により押し込まれた小径ディスク１Ｂはガイドレバー４１１の案内部４１１Ａに沿って、ターンテーブル２３の上方に搬送される。【００５７】
そして、図７に示すように、小径ディスク１Ｂの中心部が、ターンテーブル２３上に搬送されると、ディスクローディングが完了した状態となり、ターンテーブル２３に小径ディスク１Ｂがクランプされる。これには、大径ディスク１Ａのクランプと同様、図示しない挿入検出スイッチが押され、第１の駆動カム４４、第２の駆動カム４５により台座部２１が天面側に移動し、小径ディスク１Ｂがクランプされる。【００５８】
また、大径ディスク１Ａのクランプ時と同様、第２の駆動カム４５が左壁１０Ｂ側に移動することで、スライドストッパ４２４が左壁１０Ｂ側に移動し、アシストアーム４３１のイジェクト規制ピン４３１Ａが小径ディスク用イジェクト規制溝４２４Ｅ２に係合される。これにより、イジェクトアーム４３２の当接部４３２Ｃは、小径ディスク１Ｂとの間に所定寸法のクリアランスが設けられた状態で移動が規制される。また、この時イジェクトアーム４３２のアーム制御突起４３２Ｄが８ｃｍアーム４１４の側縁に当接し、８ｃｍアーム４１４の回動を規制する。これにより、ガイドレバー４１１は、小径ディスク１Ｂとの間に所定寸法のクリアランスが設けられた状態で移動が規制される。【００５９】
（小径ディスクの排出）
次に、小径ディスク１Ｂを排出する動作を説明する。操作者により例えばイジェクトボタンが押されるなどすると、先ず、第１の駆動カム４４が背面１０Ｄ側に移動する。これにより、台座部２１が底部側に移動し、小径ディスク１Ｂのクランプ状態がはずれる。また、第２の駆動カム４５が右壁１０Ｃ側に移動することにより、ガイドレバー４１１、イジェクトアーム４３２、ロードアーム４２１の移動規制も解除される。そして、クランプ状態が解除された小径ディスク１Ｂがこれらのガイドレバー４１１、イジェクトアーム４３２、ロードアーム４２１により保持されるとともに、イジェクトアーム４３２の付勢力により小径ディスク１Ｂが正面１０Ａ側に押出される。【００６０】
そして、小径ディスク１Ｂの左端縁がガイドレバー４１１およびディスクガイド４１２の接続部よりも正面１０Ａ側に排出されると、８ｃｍアーム４１４によりガイドレバー４１１が正面１０Ａ側に押出される。ここで、ガイドピン４１１Ｂが直線溝４１５Ｂを通過すると、ガイドレバー４１１の正面１０Ａ側端部は、ディスクガイド４１２の回動円弧に沿って内方側に飛び出し、ガイドレバー４１１が傾斜した状態となる。これにより、ガイドレバー４１１の正面１０Ａ側端部は、小径ディスク１Ｂの周縁部をさらに正面１０Ａ側に押出すことが可能となる。さらに、ガイドピン４１１Ｂが傾斜溝４１５Ｃを通過すると、ガイドレバー４１１はより内方側に飛び出すように移動する。これにより、小径ディスク１Ｂの周縁部が押出部４１２Ｃにより、さらに正面１０Ａのスロット１１から押し出される。【００６１】
また、小径ディスク１Ｂの右端部がロードアーム４２１の当接部４２１Ａよりも正面１０Ａ側に排出されると、第１の駆動カム４４がさらに背面１０Ｄ側に移動することで、突起部５２が共通カム溝５３Ｃに係合され、ロードアーム４２１が内方側に回動する。このロードアーム４２１の回動により小径ディスク１Ｂの周縁が正面１０Ａ側に押出され、小径ディスク１Ｂが排出される。【００６２】
〔ディスク装置の作用効果〕
上述したように、上記一実施形態のディスク装置１００では、装置本体１０の左壁１０Ｂ近傍に光ディスク１の排出時に光ディスク１の周縁を押出す押出部４１２Ｃを備えたディスクガイド４１２が回動可能に設けられ、このディスクガイド４１２の他端部に光ディスク１を案内するガイドレバー４１１が回転可能に接続されている。そして、このガイドレバー４１１の背面１０Ｄ側に、ガイドレバー４１１を直径８ｃｍの小径ディスク１Ｂを案内可能な位置から直径１２ｃｍの大径ディスク１Ａを案内可能な位置に移動させる円弧溝４１５Ａ、および押出部４１２Ｃにて光ディスク１を押し出させる位置にガイドレバー４１１を移動させる直線溝４１５Ｂおよび傾斜溝４１５Ｃを備えた案内ガイド溝４１５が設けられている。このため、直線溝４１５Ｂ、円弧溝４１５Ａに沿ってガイドレバー４１１を平行に移動させるだけで、容易に径の異なる光ディスク１を内部に案内できる。また、ガイドレバー４１１やディスクガイド４１２などが交差したりすることがなく、構成を簡単にでき、薄型化にも対応できる。さらに、押出部４１２Ｃにて光ディスク１を押し出して排出するので、小径ディスク１Ｂであっても、スロット１１から確実に排出させることができ、排出された小径ディスク１Ｂを取り出しやすくできる。【００６３】
また、案内ガイド溝４１５は、制御回路部を保護するブリッジプレート上に形成されている。このため、案内ガイド溝４１５を形成するための別部材を不要にでき、より構成を簡単にすることができる。【００６４】
そして、この案内ガイド溝４１５の円弧溝４１５Ａは、ガイドレバー４１１およびディスクガイド４１２の接続部の回動軌跡に略平行する形状に形成されている。このため、ガイドレバー４１１を左壁１０Ｂ側に移動させる際に、ガイドレバー４１１の両端の軌跡が略平行となるので、ガイドレバー４１１を光ディスク１の挿排方向に対して略平行な状態を維持したまま左壁１０Ｂ側に移動させることができる。したがって、ガイドレバー４１１が一方に傾斜して、光ディスク１の挿排を阻害することがなく、良好に径の異なる光ディスク１を案内することができる。【００６５】
また、案内ガイド溝４１５は直線上の直線溝４１５Ｂと、直線溝４１５Ｂに対して排出方向に傾斜する傾斜溝４１５Ｃとを備えている。このため、ガイドレバー４１１のガイドピン４１１Ｂが直線溝４１５Ｂを正面１０Ａ側に向かって移動するとき、ガイドレバー４１１の正面１０Ａ側端部はディスクガイド４１２の回動円弧に沿って内方側に移動し、ガイドレバー４１１が若干傾斜した状態になり、押出部４１２Ｃにて光ディスク１の周縁部を正面１０Ａ側に押出すことができる。また、ガイドピン４１１Ｂが傾斜溝４１５Ｃに係合されると、ガイドレバー４１１をさらに内方側に移動されるので、押出部４１２Ｃにて光ディスク１の周縁部をさらに正面１０Ａ側に押出すことができる。特に、光ディスク１が径寸法の小さい小径ディスク１Ｂであっても、この小径ディスク１Ｂをスロット１１からより外部側に排出させることができ、小径ディスク１Ｂのスロット１１から排出されて飛び出る面積が大きくなるため、小径ディスク１Ｂがより取り出しやすくなる。【００６６】
また、小径ディスク１Ｂの挿入時においても、ガイドレバー４１１の正面１０Ａ側の端部が内方に突出するように傾斜するので、小径ディスク１Ｂを容易に奥に挿入させることができる。【００６７】
そして、ガイドレバー４１１は、内方側に合成樹脂製の案内部４１１Ａが設けられており、この案内部４１１Ａには左壁１０Ｂ側に凹状となる案内溝が形成されている。このため、光ディスク１をこの案内溝に沿って、案内することができる。したがって、光ディスク１が上下方向に移動したりすることがなく、良好に光ディスク１を搬送することができる。【００６８】
また、ロードアーム４２１にて、挿入された光ディスク１の径寸法を検出して、大径ディスク１Ａが挿入された場合には、ロードアーム４２１にリンクアーム４２３を介して連結されるスライドストッパ４２４を右壁１０Ｃ側に移動させてアーム規制溝４１３Ａの規制を解除している。一方、小径ディスク１Ｂが挿入された場合には、アーム規制溝４１３Ａをスライドストッパ４２４の規制ストッパ４２４Ｂで一部を閉塞させ、ガイドレバー４１１の移動を規制している。このため、小径ディスク１Ｂが挿入された際にはガイドレバー４１１が左壁１０Ｂ側に移動することがないため、小径ディスク１Ｂを確実に保持して、挿排方向の移動を案内することができる。【００６９】
さらに、押出部４１２Ｃはディスクガイド４１２に一体形成されている。このため、押出部４１２Ｃとして別途部材を用意する必要がなく、より簡単な構成にすることができる。【００７０】
さらには、ガイドレバー４１１のガイドピン４１１Ｂは、８ｃｍアーム４１４により傾斜溝４１５Ｃの端部に付勢されている。すなわち、ガイドレバー４１１は、光ディスク１を排出した状態となるように付勢されている。このため、光ディスク１の排出時に、付勢力により良好に光ディスク１を排出することができる。さらに、ガイドレバー４１１の初期位置への戻りを確実にできる。【００７１】
そして、ガイドレバー４１１の左壁１０Ｂ側のディスクガイド４１２との接続部の近傍には、板ばね４１１Ｄが設けられている。このため、ガイドレバー４１１が左壁１０Ｂ側に移動した際に、ディスクガイド４１２およびガイドレバー４１１の接続部近傍を内方側に付勢でき、この接続部が左壁１０Ｂ側に屈折するのを防止できる。よって、ガイドレバー４１１およびディスクガイド４１２の動作を滑らかにでき、より良好に光ディスク１の案内ができる。【００７２】
また、上記実施形態のように、ターンテーブル２３および光ディスク１の情報を処理する情報処理部２４を備えたディスク装置１００に上記ガイドレバー４１１、ディスクガイド４１２、案内ガイド溝４１５を設けることで、ディスク装置１００の構成をより簡単にして、ディスク装置１００の薄型化をより促進させることができる。【００７３】
〔実施形態の変形〕
なお、本発明は、上述した一実施形態に限定されるものではなく、本発明の目的を達成できる範囲で以下に示される変形をも含むものである。【００７４】
例えば、ブリッジプレート４１３に案内ガイド溝４１５を形成する例を示したが、これに限定されず、案内ガイド溝４１５が形成された別部材を設ける構成としてもよい。【００７５】
また、ガイドレバー４１１に合成樹脂製の案内部４１１Ａを取り付ける構成を示したが、ガイドレバー４１１に案内溝が形成され、ガイドレバー４１１と案内部とが一体形成された構成としてもよい。【００７６】
また、ガイドレバー４１１の案内部４１１Ａに、光ディスク１の搬送を助けるローラや、ベルトなどを設ける構成にしてもよい。このようなローラやベルトを光ディスク１の搬送方向に駆動させることで、より容易に光ディスクを搬送することができる。【００７７】
さらに、上記実施形態では、８ｃｍアーム４１４によりガイドレバー４１１が付勢されている構成を示したが、ガイドレバー４１１が付勢されない構成としてもよい。例えば、光ディスク１の径寸法に応じて、例えばモータなどの駆動装置によりガイドレバー４１１を案内ガイド溝４１５に沿って移動させる構成としてもよい。このような構成では、より確実にガイドレバー４１１による排出動作が実施できる。【００７８】
また、押出部４１２Ｃがディスクガイド４１２に一体形成されている例を示したが、これに限定されず、別部材を取り付けるなどの構成としてもよい。またガイドレバー４１１の正面１０Ａ側端部に押出部４１２Ｃを設ける構成としてもよい。【００７９】
さらに、ガイドレバー４１１の左壁１０Ｂ側に板ばね４１１Ｄを設ける構成としたが、板ばねに限らず、例えばコイルばねなどのその他の付勢手段を設ける構成としてもよい。【００８０】
その他、本発明の実施の際の具体的な構造は、本発明の目的を達成できる範囲で他の構造などに適宜変更できる。【００８１】
〔実施形態の効果〕
上述したように、上記一実施形態では、装置本体１０の左壁１０Ｂ近傍に光ディスク１の排出時に光ディスク１の周縁を押出す押出部４１２Ｃを備えたディスクガイド４１２が回動可能に設けられ、このディスクガイド４１２の他端部に光ディスク１を案内するガイドレバー４１１が回転可能に接続されている。そして、このガイドレバー４１１の背面１０Ｄ側に、ガイドレバー４１１を直径８ｃｍの小径ディスク１Ｂを案内可能な位置に移動させる直線溝４１５Ｂ、およびガイドレバー４１１を直径１２ｃｍの大径ディスク１Ａを案内可能な位置に移動させる円弧溝４１５Ａ、押出部４１２Ｃにて光ディスク１を押し出させる位置にガイドレバー４１１を移動させる傾斜溝４１５Ｃを備えた案内ガイド溝４１５が設けられている。このため、直線溝４１５Ｂ、円弧溝４１５Ａに沿ってガイドレバー４１１を平行に移動させるだけで、容易に径の異なる光ディスク１を内部に案内でき、ガイドレバー４１１やディスクガイド４１２などが交差したりすることがないので、構成を簡単にできる。
【産業上の利用可能性】
【００８２】
本発明は、ディスク状記録媒体を挿入排出する搬送装置、および搬送装置が設けられた記録媒体駆動装置に利用できる。
【図１】
2007043374.tif 000003
【図２】
2007043374.tif 000004
【図３】
2007043374.tif 000005
【図４】
2007043374.tif 000006
【図５】
2007043374.tif 000007
【図６】
2007043374.tif 000008
【図７】
2007043374.tif 000009
【国際調査報告】
2007043374.tif 000010
2007043374.tif 000011
2007043374.tif 000012
2007043374.tif 000013